(57)【要約】【課題】  コンパクトな除塵機を提供すること。【解決手段】  水路Ｓを横切るように設けられたスクリーン２５と、水路Ｓの両岸Ｓ１に跨って配置された回転軸６と、この回転軸６に交差して支持されたアーム７とを有し、前記回転軸６の回転駆動に応じてアーム７の両端部に設けられた一対のレーキ８を順次スクリーン２５の側面形状に沿って移動させることにより、当該スクリーン２５に捕捉された塵芥を除去する除塵機１であって、前記交差する方向に沿って回転軸６に対してアーム７を相対変位自在に支持する円筒部材１２と、回転軸６の回転駆動に応じて、各レーキ８から回転軸６までの回転半径が互いに異なるものとなるように、円筒部材１２によるアーム７の支持態様を遷移可能な遷移手段とを備えている。【選択図】      図１
2006348549.tif 000002
【特許請求の範囲】
【請求項１】
水路を横切るように設けられたスクリーンと、前記水路の両岸に跨って配置された回転軸と、この回転軸に交差して支持されたアームとを有し、前記回転軸の回転駆動に応じて前記アームの両端部に設けられた一対のレーキを順次前記スクリーンの側面形状に沿って下から上に移動させることにより、当該スクリーンに捕捉された塵芥を掻き上げて除去する除塵機であって、
前記交差する方向に沿って前記回転軸に対して前記アームを相対変位自在に支持する支持手段と、
前記回転軸の回転駆動に応じて、前記各レーキから前記回転軸までの回転半径が互いに異なるものとなるように、前記支持手段によるアームの支持態様を遷移可能な遷移手段とを備え、
この遷移手段は、少なくとも一方のレーキがスクリーンの側面形状に沿って移動する回転軸の回転範囲内で、当該レーキについて前記回転半径を長くすることにより、相対的に他方のレーキについての前記回転半径を短くすることを特徴とする除塵機。
【請求項２】
前記スクリーンは、水路の下流側へ向かうに従い上方へ湾曲する側面円弧形に形成されているとともに、この円弧形の中心位置に前記回転軸が配設され、前記アームは、前記円弧形の直径寸法未満の長手寸法に設定されているとともに、前記遷移手段は、前記スクリーンの円弧形に沿った軌道でレーキを移動させるように前記支持手段に対するアームの支持態様を遷移させることを特徴とする請求項１に記載の除塵機。
【請求項３】
前記遷移手段は、水路の岸に設けられたフレームと、このフレームに形成され、相手の岸側へ開くガイド溝と、前記アームの側方へ突出して前記ガイド溝に遊嵌されるガイド突起とを備え、前記回転軸の回転駆動に応じて、前記ガイド突起がガイド溝に沿って移動することにより、前記支持手段に対するアームの支持態様を遷移させることを特徴とする請求項１又は２に記載の除塵機。
【請求項４】
前記ガイド突起は、前記回転軸を挟んだ位置に一対設けられ、前記ガイド溝は、前記回転軸の１８０°の回転範囲に対応する各ガイド突起の移動範囲に形成されていることを特徴とする請求項１〜３の何れか１項に記載の除塵機。
【請求項５】
前記スクリーンは、水路の両岸間に所定の間隔で配設された複数のスクリーンバーを備え、前記レーキは、これらスクリーンバーに噛合する櫛歯状に形成されているとともに、その櫛歯凹部を覆うように配設されたブラシを備えていることを特徴とする請求項１〜４の何れか１項に記載の除塵機。
【請求項６】
前記スクリーンは、水路の両岸間に所定の間隔で配設された複数のスクリーンバーを備え、前記レーキは、これらスクリーンバーに噛合する櫛歯状に形成されているとともに、その櫛歯凹部の内側へ突出して前記スクリーンバーの側面と摺動する掻き採り部材を備えていることを特徴とする請求項１〜５の何れか１項に記載の除塵機。
【請求項７】
前記回転軸に沿った揺動軸回りに揺動自在とされたスクレーパと、このスクレーパの自重による揺動下端位置を規定するストッパとをさらに備え、前記スクレーパは、揺動下端位置において、上昇過程にあるレーキの上面に対し前記回転軸側に開く角度が鋭角となるように当接するとともに、前記アームの回転駆動に応じてレーキ上をその先端部側へ摺動しながら前記揺動軸回りに揺動し、このレーキの先端部がスクレーパを通過した場合に、前記揺動下端位置に復帰するように構成されていることを特徴とする請求項１〜６の何れか１項に記載の除塵機。
【請求項８】
前記スクレーパには、ブラシが設けられ、このブラシが、前記アームの回転駆動に応じて、前記レーキ上を摺動するように構成されていることを特徴とする請求項７に記載の除塵機。
【発明の詳細な説明】
【技術分野】
【０００１】
本発明は、水路内の塵芥を排出するように構成された除塵機に関するものである。
【背景技術】
【０００２】
一般に、水路を横切るように配置されたスクリーンと、水路の両岸に跨って配置された回転軸回りに回転自在に支持されたアームとを備え、前記回転軸回りにアームを回転させることにより、当該アームの両端部に設けられた一対のレーキを、順次スクリーンをなぞるように駆動して、スクリーンに捕捉された塵芥を水路の外部へ掻き出す除塵機（例えば、特許文献１）が知られている。
【０００３】
特許文献１の除塵機では、前記スクリーンの側面形状を円弧形に形成するとともに、この円弧の中心位置に対応して前記回転軸を設け、この回転軸に対し前記アームの長手方向中央位置を固着させることにより、両レーキが、スクリーンの円弧形を含む円形の軌道に沿って回転するようになっている。
【特許文献１】実開昭５２−１０５５２３号公報
【発明の開示】
【発明が解決しようとする課題】
【０００４】
しかしながら、前記特許文献１の除塵機は、両レーキが円形の軌道に沿って移動するので、水路上の領域を不必要に占有していた。
【０００５】
つまり、特許文献１の除塵機では、一方のレーキがスクリーンに捕捉された塵芥を排出している間、塵芥の排出に関与していない他方のレーキについても、同様の回転半径寸法分だけ水面上を移動するので、除塵機自体が水路の上方で嵩の高いものとなっていた。
【０００６】
本発明は、上記課題に鑑みてなされたものであり、コンパクトな除塵機を提供することを目的としている。
【課題を解決するための手段】
【０００７】
上記課題を解決するために本発明は、水路を横切るように設けられたスクリーンと、前記水路の両岸に跨って配置された回転軸と、この回転軸に交差して支持されたアームとを有し、前記回転軸の回転駆動に応じて前記アームの両端部に設けられた一対のレーキを順次前記スクリーンの側面形状に沿って下から上に移動させることにより、当該スクリーンに捕捉された塵芥を掻き上げて除去する除塵機であって、前記交差する方向に沿って前記回転軸に対して前記アームを相対変位自在に支持する支持手段と、前記回転軸の回転駆動に応じて、前記各レーキから前記回転軸までの回転半径が互いに異なるものとなるように、前記支持手段によるアームの支持態様を遷移可能な遷移手段とを備え、この遷移手段は、少なくとも一方のレーキがスクリーンの側面形状に沿って移動する回転軸の回転範囲内で、当該レーキについて前記回転半径を長くすることにより、相対的に他方のレーキについての前記回転半径を短くすることを特徴とする除塵機を提供する。
【０００８】
本発明によれば、遷移手段により、スクリーンの側面形状に沿って移動する間、一方のレーキについての回転半径を長くすることにより、水路上を移動する他方のレーキについての回転半径を相対的に短くすることができるので、水路上を移動するレーキが必要以上に高い位置を通過することを抑制することができる。
【０００９】
したがって、本発明によれば、アームが水路の上方で占有する領域を低減することによりコンパクトな除塵機を提供することができる。
【００１０】
なお、前記遷移手段による前記回転半径の遷移は、一方のレーキがスクリーンの側面形状に沿って移動する回転軸の回転範囲のみに限定されることはなく、例えば、水路内を移動するレーキがスクリーンの塵芥の除去に関与していない回転軸の回転範囲において、当該レーキについて回転半径を長くすることによっても、同様に水路上を移動する他方のレーキの回転半径を相対的に短くすることができる。
【００１１】
また、「回転半径」とは、回転軸からレーキまでの距離を示したものであり、当該回転軸の回転運動に応じたレーキの移動の軌跡が円弧状であることに限定する趣旨ではない。換言すると、前記遷移手段による回転軸に対するアームの支持態様の遷移の仕方によっては、レーキを側面直線状とされたスクリーンに沿って移動させることも可能である。
【００１２】
請求項２に係る発明は、前記除塵機において、前記スクリーンは、水路の下流側へ向かうに従い上方へ湾曲する側面円弧形に形成されているとともに、この円弧形の中心位置に前記回転軸が配設され、前記アームは、前記円弧形の直径寸法未満の長手寸法に設定されているとともに、前記遷移手段は、前記スクリーンの円弧形に沿った軌道でレーキを移動させるように前記支持手段に対するアームの支持態様を遷移させることを特徴とするものである。
【００１３】
この構成によれば、アームの長手寸法がスクリーンの直径寸法未満に設定されているので、前記遷移手段により一方のレーキの回転半径をスクリーンまでの距離に対応して設定することにより、この回転半径と比較して、反対側のレーキの回転半径が必然的に短くなり、これにより水路上を移動するレーキが必要以上に高い位置で移動することを抑制することができる。
【００１４】
請求項３に係る発明は、前記除塵機において、前記遷移手段は、水路の岸に設けられたフレームと、このフレームに形成され、相手の岸側へ開くガイド溝と、前記アームの側方へ突出して前記ガイド溝に遊嵌されるガイド突起とを備え、前記回転軸の回転駆動に応じて、前記ガイド突起がガイド溝に沿って移動することにより、前記支持手段に対するアームの支持態様を遷移させることを特徴とするものである。
【００１５】
この構成によれば、ガイド突起がガイド溝に沿って移動することによりアームの支持態様を遷移させることができるので、このガイド溝の経路（側面視におけるガイド溝の形成された経路）を調整することにより、前記レーキの回転半径を所望の寸法に設定することができる。
【００１６】
請求項４に係る発明は、前記除塵機において、前記ガイド突起は、前記回転軸を挟んだ位置に一対設けられ、前記ガイド溝は、前記回転軸の１８０°の回転範囲に対応する各ガイド突起の移動範囲に形成されていることを特徴とするものである。
【００１７】
この構成によれば、アームの両側に一対のガイド突起を形成するとともに回転軸の１８０°の回転範囲に対応してガイド溝が形成されているので、回転軸が回転する全範囲（３６０°）について、各ガイド突起のうちの何れかを常にガイド溝内に遊嵌させることができる。
【００１８】
したがって、この構成によれば、回転軸の半回転の範囲にのみガイド溝（フレーム）を形成しながら、回転軸が回転する全範囲についてガイド溝で規定された経路に沿ってアームの支持態様を遷移させることができる。
【００１９】
請求項５に係る発明は、前記除塵機において、前記スクリーンは、水路の両岸間に所定の間隔で配設された複数のスクリーンバーを備え、前記レーキは、これらスクリーンバーに噛合する櫛歯状に形成されているとともに、その櫛歯凹部を覆うように配設されたブラシを備えていることを特徴とするものである。
【００２０】
この構成によれば、スクリーンバーの側面形状に沿ってレーキが移動する際に、スクリーンバーの側面をブラシで掃くことができるので、例えば、水路中の藻がスクリーンバーに捕捉されている場合に、当該スクリーンバーの側面まで絡まる藻を効果的に除去することができる。
【００２１】
請求項６に係る発明は、前記除塵機において、前記スクリーンは、水路の両岸間に所定の間隔で配設された複数のスクリーンバーを備え、前記レーキは、これらスクリーンバーに噛合する櫛歯状に形成されているとともに、その櫛歯凹部の内側へ突出して前記スクリーンバーの側面と摺動する掻き採り部材を備えていることを特徴とするものである。
【００２２】
この構成によれば、スクリーンバーの側面形状に沿ってレーキが移動する際に、スクリーンバーの側面と掻き採り部材とを摺動させることができるので、例えば、水路中の藻がスクリーンバーに捕捉されている場合に、当該スクリーンバーの側面まで絡まる藻を効果的に除去することができる。
【００２３】
請求項７に係る発明は、前記除塵機において、前記回転軸に沿った揺動軸回りに揺動自在とされたスクレーパと、このスクレーパの自重による揺動下端位置を規定するストッパとをさらに備え、前記スクレーパは、揺動下端位置において、上昇過程にあるレーキの上面に対し前記回転軸側に開く角度が鋭角となるように当接するとともに、前記アームの回転駆動に応じてレーキ上をその先端部側へ摺動しながら前記揺動軸回りに揺動し、このレーキの先端部がスクレーパを通過した場合に、前記揺動下端位置に復帰するように構成されていることを特徴とするものである。
【００２４】
この構成によれば、スクリーンからレーキ上に掻き採られた塵芥を、アームの回転駆動の駆動力を利用して、アーム先端部側へ除去する（押出す）ことができるので、このアーム先端部側に塵芥処理個所を設定しておけば、前記回転軸を回転させるだけで塵芥を塵芥処理個所に除去することができる。
【００２５】
請求項８に係る発明は、前記除塵機において、前記スクレーパには、ブラシが設けられ、このブラシが、前記アームの回転駆動に応じて、前記レーキ上を摺動するように構成されていることを特徴とするものである。
【００２６】
この構成によれば、スクレーパがレーキ上を摺動する際に、レーキの上面をブラシで掃くことができるので、例えば、水路中の藻がレーキ上に掻き採られている場合に、この藻をレーキから擦り取ることができる。
【発明の効果】
【００２７】
本発明によれば、コンパクトな除塵機を提供することができる。
【発明を実施するための最良の形態】
【００２８】
以下、本発明の好ましい実施形態について図面を参照して説明する。
【００２９】
図１は、本発明の実施形態に係る除塵機を示す平面図である。図２は、図１の除塵機の側面断面図である。図３は、図１の除塵機の水路上流側から見たときの正面図である。
【００３０】
各図を参照して、除塵機１は、水路Ｓ内に設けられたスクリーン２５と、水路Ｓの両岸Ｓ１に跨って配設された駆動ユニット２と、この駆動ユニット２の下流側で水路Ｓに被せられた操作台３とを備え、駆動ユニット２の駆動に応じてスクリーン２５に捕捉された水路Ｓ内の塵芥を操作台３上の塵芥処理個所（図示せず）に排出するようになっている。
【００３１】
スクリーン２５は、側面視で略４分の１円弧形に形成された複数のスクリーンバー４と、これらスクリーンバー４を水路Ｓ内に固定する上下一対のステー５とを備えている。
【００３２】
これらステー５は、水路Ｓの両岸Ｓ１間に掛け渡され、水路Ｓの下流側に向かうに従い上方へ湾曲する姿勢とされた各スクリーンバー４を、水路Ｓの両岸Ｓ１間で一定の間隔を開けた状態で支持するようになっている。
【００３３】
駆動ユニット２は、水路Ｓの両岸Ｓ１に跨って配置された回転軸６と、この回転軸６に交差して支持された一対のアーム７と、これらアーム７の両端部にそれぞれ設けられた一対のレーキ８と、前記両岸Ｓ１上に立設されたガイドフレーム９と、このガイドフレーム９に設けられた排出機構１０とを備えている。
【００３４】
回転軸６は、水路Ｓの両岸Ｓ１上に対向して設けられた一対の軸受６ａによって水路Ｓ上で回転自在に支持され、マイクロ減速機内蔵のモータ１１の駆動力に応じて回転することが可能とされている。
【００３５】
また、回転軸６には、前記各軸受６ａの内側に一対の円筒部材（支持手段）１２が貫通して固着されている。これら円筒部材１２は、回転軸６の軸線と直交して配置されているとともに、前記回転軸６の駆動に応じて同位相で回転するように、互いに平行に配設されている。
【００３６】
アーム７は、前記各円筒部材１２内にそれぞれ挿通された棒状の部材である。これらアーム７は、それぞれ各円筒部材に対して摺動することにより、前記回転軸６の直径方向に沿って移動することが可能とされている。
【００３７】
レーキ８は、前記各アーム７の互いに隣り合う端部同士の間に掛け渡され、前記各スクリーンバー４と噛合することが可能となる先端形状とされている。
【００３８】
具体的には、図４に示すように、レーキ８の先端部には、前記各スクリーンバー４に対応して複数の凹部（櫛歯凹部）８ａが形成されているとともに、この凹部８ａを覆うようにブラシ１４が固着されている。
【００３９】
したがって、このレーキ８が各スクリーンバー４の側面形状に沿って移動することにより、図４の（ａ）に示すように、前記ブラシ１４によって各スクリーンバー４の側面を掃くことができるので、例えば、水路Ｓ中の藻がスクリーンバー４に捕捉されている場合に、当該スクリーンバー４の側面まで絡まる藻を効果的に除去することができる。
【００４０】
なお、前記レーキ８は、図７に示すように、前記凹部８ａの内側へ突出する山型の刃２４ａを複数有する掻き採り部材２４を備えた構成としてもよい。
【００４１】
掻き採り部材２４は、フッ素系樹脂等、摩擦抵抗の比較的小さい材質により形成された略長方形の板部材である。この掻き採り部材２４の長手方向両端部には、山型の刃２４ａがその幅方向に沿って複数形成されている。
【００４２】
そして、掻き採り部材２４は、各刃２４ａが前記凹部８ａの縁に沿って並ぶように、ボルトＢによってレーキ８の表面に複数枚取り付けられている。
【００４３】
このようにすれば、図７の（ａ）に示すように、スクリーンバー４の側面形状に沿ってレーキ８が移動する際に、当該スクリーンバー４の側面と各刃２４ａとを摺動させることができるので、例えば、水路Ｓ中の藻がスクリーンバー４に捕捉されている場合に、当該スクリーンバー４の側面まで絡まる藻を効果的に除去することができる。
【００４４】
再び図１〜図３を参照して、前記各アーム７の側面には、ガイドローラ（ガイド突起）１５が、回転軸６を挟んで２個所に設けられている。これらガイドローラ１５は、回転軸６に沿って両岸Ｓ１側へ延びる軸１５ａと、この軸１５ａ回りに回転自在なローラ１５ｂとを備え、このローラ１５ｂがガイドフレーム９に規定された経路に沿って転がり接触することにより、前記各アーム７を回転軸６に対して相対変位させるようになっている。
【００４５】
すなわち、各ガイドフレーム９は、両岸Ｓ１間で互いに対向する断面略コの字形のガイド溝１６が形成された樋状の部材であり、このガイド溝１６内で前記ローラ１５ｂを案内するようになっている。本実施形態では、前記ガイドローラ１５及びガイドフレーム９が遷移手段の一例を構成している。
【００４６】
具体的に、各ガイドフレーム９は、図２に示すように、岸Ｓ１から立上り水路Ｓの上流側へ湾曲する第一湾曲部９ａと、この第一湾曲部９ａから略水平方向に延びる水平部９ｂと、この水平部９ｂから岸Ｓ１側へ湾曲する第二湾曲部９ｃとを有する縦割り小判型の側面形状とされ、前記回転軸６の１８０°の回転範囲に対応して形成されている。
【００４７】
そして、ガイドフレーム９は、側面視において第二湾曲部９ｃが前記各スクリーンバー４と同心となるように配置されているとともに、この第二湾曲部９ｃにオフセットして回転するレーキ８の回転半径Ｒ１がスクリーンバー４の曲率半径（すなわち、第二湾曲部９ｃに対応して回転する他方のレーキ８の回転半径）Ｒ２よりも小さな曲率半径とされ、かつ、これら半径の合計（Ｒ１＋Ｒ２）がアーム７の長手寸法Ｄ１と等しくなるように各部が寸法設定されている。
【００４８】
したがって、第二湾曲部９ｃに沿ってローラ１５ｂが転がり接触することにより、一方のレーキ８が前記半径Ｒ１に対応する円軌道に沿って回転移動するとともに、他方のレーキ８が前記半径Ｒ２に対応する円軌道に沿って、各スクリーンバー４の側面形状に沿って移動することになる。
【００４９】
そして、スクリーンバー４から水路Ｓ上に上昇するローラ１５ｂは、前記第一湾曲部９ａに対して下方から入り込み、この第一湾曲部９ａに沿って回転軸６側へ移動しながら（直径寸法を短く遷移しながら）、次に水平部９ｂに沿った移動を開始する。
【００５０】
ここで、前記水平部９ｂは、当該水平部９ｂに沿って移動するレーキ８の最高到達点の高さ寸法Ｄ３が水路Ｓの水深Ｄ２よりも低くなるように設定されている。
【００５１】
そして、前記ローラ１５ｂは、前記水平部９ｂから上述した第二湾曲部９ｃに基づく回転移動を再び行うことになる。
【００５２】
図５は、図１の除塵機１における排出機構１０を拡大して示す側面一部略図であり、（ａ）はスクレーパ１９とレーキ８とが当接した状態、（ｂ）はスクレーパ１９とレーキ８とが摺動している状態をそれぞれ示している。図６は、図１の除塵機１における排出機構１０を拡大して示す側面一部略図であり、（ａ）はスクレーパ１９がレーキ８にさらに摺動した状態、（ｂ）はレーキ８がスクレーパ１９を通過した状態をそれぞれ示している。
【００５３】
図１、図２、図５及び図６を参照して、排出機構１０は、前記各第一湾曲部９ａから水路Ｓの下流側へ向けて延びるブラケット１７と、このブラケット１７に対して揺動軸１８回りに揺動自在とされたスクレーパ１９とを備え、このスクレーパ１９が水路Ｓから上昇するレーキ８の回転軌道上に配設されている。
【００５４】
ブラケット１７は、両岸Ｓ１間で相対向するように前記第一湾曲部９ａにそれぞれ設けられ、これらブラケット１７に対して、前記回転軸６に沿った揺動軸１８がそれぞれ設けられている。また、ブラケット１７には、ストッパゴム２０が設けられている。
【００５５】
スクレーパ１９は、前記各揺動軸１８にそれぞれ軸支される一対の揺動アーム２１と、これら揺動アーム２１の先端部に掛け渡された架設バー２２と、この架設バー２２に装着されたブラシ２３とを備えている。
【００５６】
揺動アーム２１は、ブラケット１７に対して揺動軸１８回りに揺動自在とされており、前記ストッパゴム２０に当接した位置が、自重による揺動下端位置として規定されている。
【００５７】
この揺動下端位置は、図５の（ａ）に示すように、揺動アーム２１の先端部が水路Ｓの下流側へ傾いた姿勢となるように規定されている。そのため、架設バー２２は、揺動下端位置において、水路Ｓから上昇するレーキ８の上面に対し前記回転軸６側へ開く角度θ１が鋭角となるように当接することになる。
【００５８】
また、各揺動アーム２１は、前記レーキ８が両者の間を通過することができるように、両者の間の寸法Ｄ４（図１参照）が前記レーキ８の幅寸法Ｄ５よりも大きくなるように配置されている。
【００５９】
ブラシ２３は、揺動下端位置における架設バー２２から下方へ向けて装着されている。
【００６０】
この排出機構１０によれば、図５の（ａ）に示すように、水路Ｓから上昇するレーキ８に対して架設バー２２（ブラシ２３）が当接し、この状態からさらにレーキ８が回転運動すると、図５の（ｂ）に示すように、架設バー２２（ブラシ２３）がレーキ８上をその先端部側へ摺動しながら前記揺動軸１８回りに揺動することになる。
【００６１】
レーキ８の回転運動が進行すると、図６の（ａ）に示すように、架設バー２２がさらに上方に揺動し、終には、図６の（ｂ）に示すように、レーキ８が架設バー２２の内側（揺動軸１８側）を通過する。
【００６２】
これにより、架設バー２２は、自重により下方へ揺動することになるが、この揺動が前記ストッパゴム２０により規制されることにより、図５の（ａ）に示すように、前記揺動下端位置へ復帰する。
【００６３】
したがって、前記排出機構１０によれば、スクリーンバー４からレーキ８上に掻き採られた塵芥を、アーム７の回転駆動の駆動力を利用してアーム７の先端部側へ除去することができるので、このアーム７の先端部側（操作台３上）に設定された塵芥処理個所（図示せず）に対し、回転軸６を回転させるだけで塵芥を排出することができる。
【００６４】
そして、前記スクレーパ１９にはブラシ２３が設けられているので、レーキ８の上面をブラシ２３で掃くことにより、例えば、水路Ｓ中の藻がレーキ８上に掻き採られている場合に、この藻をレーキ８から擦り取ることができる。
【００６５】
以上説明したように、前記除塵機１によれば、ガイドフレーム９（第二湾曲部９ｃ）及びガイドローラ１５により、スクリーン２５の側面形状に沿って移動する間、一方のレーキ８についての回転半径を長くすることにより、水路Ｓ上を移動する他方のレーキ８についての回転半径を相対的に短くすることができるので、水路Ｓ上を移動するレーキ８が必要以上に高い位置を通過することを抑制することができる。
【００６６】
したがって、アーム７が水路Ｓの上方で占有する領域を低減することによりコンパクトな除塵機１を提供することができる。
【００６７】
なお、前記回転半径の遷移は、一方のレーキ８がスクリーン２５の側面形状に沿って移動する回転軸６の回転範囲だけでなく、ガイドフレーム９の水平部９ｂによって、水路Ｓ内を移動するレーキ８がスクリーン２５の塵芥の除去に関与していない回転軸６の回転範囲においても実行されるようになっているので、この回転範囲においても前記と同様に水路Ｓ上を移動する他方のレーキ８の回転半径を相対的に短くすることができる。
【００６８】
また、前記実施形態では、側面略円弧状に形成された各スクリーンバー４について説明したが、スクリーンバー４の形状はこれに限定されることはない。すなわち、前記ガイドフレーム９のガイド溝１６の側面形状を適宜設定することにより、レーキ８を直線状に移動させることもできるので、この場合には、スクリーンバー４を水路Ｓの下流側へ向けて上方に傾斜する側面直線状の形態とすることができる。
【００６９】
そして、前記実施形態に係る除塵機１では、アーム７の長手寸法Ｄ１が、レーキ８の回転半径Ｒ１と回転半径Ｒ２（ともに図２参照）との合計の寸法、すなわち、アーム７の長さ寸法Ｄ１がスクリーンバー４の円弧形の直径寸法（Ｒ２×２の寸法）未満に設定されている。
【００７０】
この構成によれば、アーム７の長手寸法Ｄ１がスクリーンバー４の直径寸法未満に設定されているので、前記スクリーンバー４に沿って一方のレーキ８の回転半径をＲ２に遷移させることにより、反対側のレーキ８の回転半径Ｒ１が回転半径Ｒ２よりも必然的に短くなり、これにより水路Ｓ上を移動するレーキ８が必要以上に高い位置で移動することを抑制することができる。
【００７１】
さらに、前記実施形態に係る除塵機１によれば、ガイドローラ１５がガイド溝１６に沿って移動することによりアーム７の支持態様を遷移させることができるので、このガイド溝１６の経路を調整することにより、レーキ８の回転半径を所望の寸法に設定することができる。
【００７２】
アーム７の回転軸６を挟んだ位置にガイドローラ１５を一対設けるとともに、回転軸６の１８０°の回転範囲に対応する各ガイドローラ１５の移動範囲にガイド溝１６を形成した前記実施形態に係る除塵機１によれば、回転軸６が回転する全範囲（３６０°）について、各ガイドローラ１５のうちの何れかを常にガイド溝１６内に遊嵌させることができる。
【００７３】
したがって、回転軸６の半回転の範囲にのみガイドフレーム９を形成しながら、回転軸６が回転する全範囲についてガイド溝１６で規定された経路に沿ってアーム７の支持態様を遷移させることができる。
【図面の簡単な説明】
【００７４】
【図１】本発明の実施形態に係る除塵機を示す平面図である。
【図２】図１の除塵機の側面断面図である。
【図３】図１の除塵機の水路上流側から見たときの正面図である。
【図４】図１の除塵機のレーキ先端部を拡大して示す、（ａ）は平面図、（ｂ）は側面図である。
【図５】図１の除塵機における排出機構を拡大して示す側面一部略図であり、（ａ）はスクレーパとレーキとが当接した状態、（ｂ）はスクレーパとレーキとが摺動している状態をそれぞれ示している。
【図６】図１の除塵機における排出機構を拡大して示す側面一部略図であり、（ａ）はスクレーパがレーキにさらに摺動した状態、（ｂ）はレーキがスクレーパを通過した状態をそれぞれ示している。
【図７】図１の除塵機に係る別の実施形態のレーキについて、その先端部を拡大して示す、（ａ）は平面図、（ｂ）は側面図である。
【符号の説明】
【００７５】
１    除塵機
４    スクリーンバー
６    回転軸
７    アーム
８    レーキ
８ａ    凹部
９    ガイドフレーム
１０    排出機構
１２    円筒部材（支持手段）
１４    ブラシ
１５    ガイドローラ
１６    ガイド溝
１８    揺動軸
２０    ストッパゴム
２２    架設バー
２３    ブラシ
２５    スクリーン
Ｄ１    長手寸法
Ｒ１、Ｒ２    回転半径
Ｓ    水路
Ｓ１    岸
【図１】
2006348549.tif 000003
【図２】
2006348549.tif 000004
【図３】
2006348549.tif 000005
【図４】
2006348549.tif 000006
【図５】
2006348549.tif 000007
【図６】
2006348549.tif 000008
【図７】
2006348549.tif 000009